(57)【要約】【課題】通気性を良くし、額に接する部材の汚れに対し部分洗いができるようにし、多少の帽子の大きさは吸収できるようにした帽子を提供する。【解決手段】帽子本体の側壁の両側に貫通孔を穿設し、貫通孔に帯状体を挿通して、帯状体で頭部と帽子本体の一部を縛るように構成し、また、帽子本体の頂部に、後方を向きかつ頂部横幅いっぱいに広がった開口を形成した帽子。【選択図】図３
0003132414.tif 000002
【実用新案登録請求の範囲】
【請求項１】
帽子本体の側壁の両側下方に夫々貫通する孔を穿設し、帯状体を、該孔の前方においては帽子本体の内側に位置し、該孔の後方においては帽子本体の外側に位置するように、該孔に挿通してなり、該帯状体の自由端は相互に帽子本体の外部で連結できるものであり、また、帽子本体の頂部には、頂部の略中央分から後方部の位置に、帽子本体の内部に連通する開口が穿設されていることを特徴とする通気性帽子。
【請求項２】
帽子本体の頂部に形成された開口は、頂部を構成する後方布部を、頂部を構成する前方布部の後部縁部が覆いかぶさるように形成することにより、後方を向きかつ頂部の横幅いっぱいに広がった開口として形成されていることを特徴とする通気性帽子。
【考案の詳細な説明】
【技術分野】
【０００１】
本考案は、帽子、特に、帽子（ハット）本体内に通気性が確保され、汗取りができ、かつ頭にしかりと被ることができる帽子に関するものである。
【背景技術】
【０００２】
帽子は、防寒用、防暑用、装飾用などの目的として一般に親しまれている被り物であるが、帽子内のムレ、額、髪の毛に直接触れることによる着用汚れ、人により頭周りの寸法が相違することから生ずる寸法合わせなどの問題があった。
【０００３】
特許文献１には、額周辺の通気を良くし、不快なムレを防止することを課題とした帽子が開示されている。この課題を解決するために、メッシュ帯を帽子の内側縁に張り渡すことで額と帽子の内側縁に１５mm程度の間隙を形成し、通気を図ることが提案されている。
【０００４】
また、特許文献２には、頭部のムレを防止し、雨にも対応できる帽子が提案されている。この文献では、帽子本体の頭頂部に開口部を設けて、開口部に対してメッシュカバーと、べた布を用意し、開孔部周縁にファスナーを介してメッシュカバー又はべた布を着脱自在に取り付ける構成を開示している。
【特許文献１】特開平９―１３７３１５号公報
【特許文献２】特開２００５―１９４６４４号公報
【考案の開示】
【考案が解決しようとする課題】
【０００５】
帽子は、普通に被れば、帽子の下方内周縁部（びんがわ）が、被った人の額から後頭部に至るに環状ラインに沿って接し、帽子の頂部（トップクラウン）裏面は頭頂部と僅かな間隙を保った位置をとる。したがって、帽子の周壁等に通気孔を設けたとしても、上記環状ラインより上部の頭部は蒸れやすい状態に置かれる。したがって、特許文献１及び２は或る程度のムレの帽子には役立つ構成といえるが、帽子の下方内周縁部（びんがわ）は額などからの汗、油を吸うことになり、清潔さに欠けることになり、帽子を丸洗いしなければならないなどの問題は残る。しかも、頭の大きさは被る人それぞれで相違し、既製帽子を買うときは、寸法を合わせてから好みのデザインの帽子を買うこととなり、煩雑であった。
【０００６】
本考案は、通気性を良くし、額に接する部材の汚れに対して、帽子全体を丸洗いすることなく、部分的な洗濯ですむようにし、かつ多少の頭周りの寸法の相違を吸収しかつしっかりと被るようにした帽子を提供するものである。
【課題を解決するための手段】
【０００７】
請求項１に記載の帽子は、帽子本体の側壁の両側下方に夫々貫通する孔を穿設し、帯状体を、該孔の前方においては帽子本体の内側に位置し、該孔の後方においては帽子本体の外側に位置するように、該孔に挿通してなり、該帯状体の自由端は相互に帽子本体の外部で連結できるものであり、また、帽子本体の頂部には、頂部の略中央分から後方部の位置に、帽子本体の内部に連通する開口が穿設されていることを特徴とする。
【０００８】
請求項１の考案の特長は、帽子を被るとき、帯状体の自由端を帽子後方外部において連結し、帯状体で頭部を縛るようにすれば、額の前方と帽子本体の内壁との間に間隙が生じ、
また、頭頂部の周囲及び頭頂部には間隙があるので、それらの間隙を通り帽子本体の頂部に設けられた開口に至る通気路が形成され、頭部のムレを効果的に解消することができ、また、額に接する帯状体は取り外しが容易なので、汗などを吸った帯状体の洗濯を頻繁に容易に行うことができ、かつこの帽子を被る場合、頭部と帽子とに隙間を空けて被ることが前提であるので、帽子に多少の寸法の相違があっても、頭部を縛るので、その寸法の相違は吸収され、気にすることもなく、至極快適に被ることができ、強風のもとでも帽子を飛ばされる憂いもない。
【０００９】
帯状体は、帽子側部に穿設した孔に部分的に挿通でき、後方で縛るなどの連結ができるものであれば、どの様な材質のものでも広く採用可能である。例えば、一面にタオル布を縫い付けた帯状物、全体が網状布の帯、お気に入りのバンダナを細く巻いて帯状としたものなどが使用できる。
帯状体の自由端の連結は、縛る方法、又は器具（コードロック、ホック、フック、クリップ等）を用いて接続する方法又は自由端に１対の布状ファスナーを取付けておく方法などがある。
【００１０】
請求項２に記載の帽子は、請求項１の構成に加えて、帽子本体の頂部に形成された開口は、頂部を構成する後方布部を、頂部を構成する前方布部の後部縁部が覆いかぶさるように形成することにより、後方を向きかつ頂部の横幅いっぱいに広がった開口として形成されていることを特徴とする。
【００１１】
請求項２の考案は、請求項１に特長に加えて、開口が後方を向いているので、孔としては目立つことがなくファッション性に富み、常時帽子本体の中ムレを排気する通気口の役目を果たすと共に降雨の時には雨が直接帽子本体内に降り込むことを防止する。
【考案の効果】
【００１２】
本考案は、上記構成からなるものであるから、請求項１の考案にあっては、帯状体で頭と帽子前方壁との位置を相対的に変位させて被るので、確実に通気性を確保でき、帯状体は取り外しが容易なので、他の帯状体と交換して趣味の異なる帯状体を使用できかつ取り外した帯状体は洗濯等ができるので清潔さを維持することができる。帯状体で帽子と頭を縛るので、径の大きい帽子であっても不都合なく被ることができ、かつ風などに対しても吹き飛ばされることなく被り続けることができる。
【００１３】
請求項２の考案は、請求項１の効果に加えて、帽子頂部の開口が後方を向いており、かつ頂部側部まで伸びているので、前方から見た状態では気が付き難く，ファッション性に富み、かつ通気性を十分確保するものとなり、また、降雨のときに帽子の内部に雨が振り込むことを防止する。
【考案を実施するための最良の形態】
【００１４】
図１に示すように、本考案の帽子１は、ハットであり、帽子本体２と、その下部周辺に取り巻くように接続された環状のつば部３とからなる。
帽子本体２は、周側面（サイドクラウン）４と、その上面に一体に取付けられた楕円形状の頂部（トップクラウン）５とからなる。帽子には、前面側Ａと後面側Ｂとがあり、その間に位置する部位を側面Ｃとする。
【００１５】
帽子本体２の両側面の下部には、夫々縦方向に伸びたスリット状の貫通孔６，６が穿設されている。
【００１６】
帽子本体２の頂部５には、開口７が形成されている。この開口７は、頂部を構成する後方布部５Ａを、頂部を構成する前方布部５Ｂの後部縁部５Ｃが覆いかぶさるように形成することにより、後方を向きかつ頂部の横幅いっぱいに広がった開口として形成されている。
この実施例では開口７は、平面視で、への字状の形状に形成されている。後方布５Ａは、前方布部の下では網状布８と一体に接合されている。
【００１７】
帽子本体２の側面Ｃに形成された貫通孔６、６には、帯状体１０が挿通されている。帯状体１０は、図４Ａに示すように、タオル地を平布に縫いつけバンド状にし、その両端に細い紐を接続したものなどを使用する。この帯状体１０は、図２に示すように、貫通孔６，６の前方においては帽子本体２の内側に位置し、貫通孔６，６の後方においては帽子本体の外側に位置するように、貫通孔６，６に挿通する。そして、帯状体１０の自由端１０Ａ、１０Ａは、縛るなど相互を連結することによって、帯状体で作る輪の径を縮小できるようにする。
【００１８】
この実施例では、帯状体を連結するのに器具９を使用しており、この器具９は、スプリング力により常時変位する貫通孔を有しており、貫通孔を変位した状体で、帯状体の２本の紐を器具の貫通孔に挿通し、その位置で変位を解除すれば、その位置で紐は固定されるものである。勿論、このような器具に限定されることなく他の器具も使用可能である。
また、図４Ｂに示すように、帯状体１０として、好みのバンダナを貫通孔の大きさに合うように細く折り畳み、これを帯状体として使用可能である。
【００１９】
このように構成した本考案の帽子を被るとき、一般の帽子のように被るが、これに加えて、図３に示すように、帯状体１０を額にあてがい、帯状体で作る輪の径を縮小して自分の頭周りの径に合わせ、丁度、帯状体で帽子ごと頭に縛り付けて被ると、額と帽子本体の前方内側面との間に隙間が形成される。この隙間は、帽子本体の頂部に形成された開口７に連通しているので、歩くことによる風を呼び込み、または、頭周辺で創生される熱により、額から頭上を通る上昇気流が発生し、ムレを減少させることができる。
【００２０】
帯状体１０は、貫通孔６に挿通によって帽子に装着されるものであるので、取り外しも容易に行われ、必要に応じて洗濯、クリーニングなどを行うことができ、清潔に維持することができる。
【図面の簡単な説明】
【００２１】
【図１】図１は、本考案の帽子を斜め後方から見た図である。
【図２】図２は、本考案の帽子を下方から見た図である。
【図３】図３は、図２のIII―III線に沿う位置で切断した断面図である。
【図４】図４Ａ，Ｂは、帯状体の種類を示す図である。
【符号の説明】
【００２２】
１  帽子、  ２  帽子本体、  ３  つば部、  ４  側周面、  ５  頂部
６  （貫通）孔、  ７  開口、  １０  帯状体、  ５Ａ    後方布部、
５Ｂ  前方布部。
【図１】
0003132414.tif 000003
【図２】
0003132414.tif 000004
【図３】
0003132414.tif 000005
【図４】
0003132414.tif 000006